(57)【特許請求の範囲】
【請求項１】
ポリスチレン等の合成樹脂製平板からなる台枠の所望の位置に複数の収納凹部を一体に形成した厚地織物見本帳の台枠における任意の収納凹部の側壁の上端部に該収納凹部の内側方向に突出する突出部を一体に設けた台枠に、上記収納凹部と対応する位置に窓を設けた被覆体を被せたことを特徴とする厚地織物見本帳の台版。
【請求項２】
ポリスチレン等の合成樹脂製平板からなる台枠の所望の位置に複数の収納凹部を一体に形成した厚地織物見本帳の台枠において、任意の収納凹部の側壁の一つに当該収納凹部から外側に向かって台枠表面と連続するなだらかな傾斜面を設けたことを特徴とする厚地織物見本帳の台枠。
【請求項３】
傾斜面が収納凹部の底面から開始して台枠表面に連続していることを特徴とする請求項２記載の厚地織物見本帳の台枠。
【請求項４】
傾斜面が収納凹部の側壁の一つの途中から開始して台枠表面に連続していることを特徴とする請求項２記載の厚地織物見本帳の台枠。
【請求項５】
傾斜面を有する収納凹部と対応する位置に設けた窓の三辺を見本片より小さくすると共に、傾斜面と対応する一辺を見本片が通過可能な開口とした被覆体を請求項２から請求項４のいずれか１項記載の台枠に被せたことを特徴とする厚地織物見本帳の台版。
【発明の詳細な説明】
【０００１】
【発明の属する技術分野】
この発明は、カーペット等の厚地織物の見本片を被覆体に設けた窓を通して一覧できるようにした厚地織物見本帳における台枠および台版に関するもので、該見本片の収納凹部を一体に形成した合成樹脂製の台枠及びこれを被覆体で覆った台版を改良して見本片の保持や着脱を容易としたものである。
【０００２】
【従来の技術】
従来のカーペット等の厚地織物の見本帳は、平板からなる台紙の所定位置に見本片を貼付し、該見本片と対応する位置に窓を設けた被覆紙でこれを覆って台版を形成するか、見本片を貼付した台紙を箱型に成型した被覆箱に挿入するようにして台版を形成し、更にこの台版を所要の数だけ綴じ合せて見本帳に仕上げて見本を一覧しやすいようにしたものであった。
しかし、これら従来の見本帳の台版は、複数の見本片をそれぞれ台紙の所定位置に貼付するのに多大な手間がかかり、また、見本片を接着剤で固定するため見本片の一部交換ができないうえ、見本片を汚損する虞があるなど、種々の課題が残されていた。
【０００３】
そこで、本出願人は先に、例えば本出願人の出願にかかる実用新案登録第３００３４７４号に示すように、基本的には合成樹脂製平板の所定位置に複数の収納凹部（ロ）を一体に形成した台枠（イ）を提案し、該収納凹部に見本片を収納するようにして台版を構成することにより、上記各課題を解決せんとしたものである（図６参照）。
【０００４】
即ち、接着剤を使用しないで見本片を保持し、見本片の一部交換を可能として流行の変化に対応しやすくするため、上記台枠（イ）において、図７（Ａ）、（Ｂ）に示すように、任意の収納凹部（ロ）の相対向するそれぞれの側壁（ハ）と台枠表面（ニ）に連続する一対の切込み（ホ）を設け、該部の側壁を内側に傾斜させて保持片（ヘ）を形成し、その弾性により見本片（ト）を両側から挟持するようにしている。
【０００５】
また、見本片の裏地や厚み、毛足の長さ等が容易に確認できるように、上記台枠（イ）において、図８（Ａ）、（Ｂ）に示すように任意の収納凹部（ロ）の一辺側壁（ハ）に指挿入用の凹部（チ）を設ける一方、見本片（ト）の裏面端縁を該収納凹部の底面に接着剤（ヌ）等で固着し、見本片他端には摘み片（リ）を取り付けて、見本片の一部を持ち上げられるようにしている。
【０００６】
【発明が解決しようとする課題】
しかし、上記台枠において、一対の切込み（ホ）により側壁（ハ）の一部を保持片（ヘ）としたものにあっては、単に側壁（ハ）の下辺部で内側に傾斜するように折曲げて弾性力を得るものであったので、見本片（ト）の出し入れ回数が多くなると、該部の弾性力が弱まって見本片（ト）を保持する力が減少して、見本片が不用意に脱落してしまう等の問題点があった。
【０００７】
また、見本片（ト）の一部を持ち上げて、見本片の裏地や厚み等を確認できるようにしたものにあっては、別途摘み片（リ）を取り付ける作業に手間がかかると共に、見本片の裏面端縁のみを接着剤（ヌ）等で接着する必要があって、その作業が手間であるうえ、接着剤等で台枠表面や見本片自体を汚損してしまう虞があった。
【０００８】
本発明は、上記従来の各課題を解決して、見本片の着脱の回数に関係なく保持力を損なわないようにし、また、接着剤を使用せずに見本片の保持および取り出しを容易として、見本片の裏地や厚み等の確認が簡単にできるようにした見本帳の台枠およびこれを使用した台版を提供することを目的としたものである。
【０００９】
【課題を解決するための手段】
本発明は、ポリスチレン等の合成樹脂製平板からなる台枠の所望の位置に複数の収納凹部を一体に形成した厚地織物見本帳の台枠における任意の収納凹部の側壁の上端部に該収納凹部の内側方向に突出する突出部を一体に設けた台枠に、上記収納凹部と対応する位置に窓を設けた被覆体を被せて厚地織物見本帳の台版とすることにより上記課題を解決したものである。また、任意の収納凹部の側壁の一つに当該収納凹部から外側に向かって台枠表面と連続するなだらかな傾斜面を構成し、該傾斜面は収納凹部の底面または側壁の途中から開始して台枠の表面に連続するという手段を用いた。更に、上記傾斜面を有する収納凹部と対応する位置に設けた窓の三辺を見本片より小さくすると共に、傾斜面と対応する一辺を見本片が通過可能な開口とした被覆体を上記台枠に被せて台版を構成するという手段により上記課題を解決したものである。
【００１０】
【発明の実施の形態】
以下、本発明にかかる厚地織物見本帳等の台枠および台版の実施の形態を図面に基づいて詳述する。
図１は本発明にかかる台枠の斜視図であるが、図において１は台枠であって、例えばポリスチレン等の合成樹脂製平板に小型見本片用の収納凹部２と、大型見本片用の収納凹部３をそれぞれ任意の数だけ一体に形成すると共に、平板周縁に周壁４を一体に立設したものである。これらは、例えば圧縮成型法や真空成型法等、公知の方法により一体成型する。而して、図２に示すように、上記台枠１に所定の見本片５を収納した後、該見本片５と対応する位置にそれぞれ窓６を設けた被覆体７で覆って台枠を包持し、台枠裏面に折返し片８を固定して見本帳の台版を構成するものである。そして、この台版を所要数綴じ合わせて見本帳に仕上げる。
【００１１】
なお、上記被覆体７は、従来のように紙または合成樹脂素材から成る平板を下面開放の箱状に組み立てるようにしたものや、初めから下面開放の箱状に一体成型したものなどが利用できる他、完全な箱体の被覆箱とし、これに挿入するようにしてもよい。
【００１２】
図３（Ａ）は、上記台枠１における小型見本片用の収納凹部２の部分拡大図であるが、図において９は収納凹部の側壁であって、各側壁９の上端部に複数の突出部１０を収納凹部２の内側に向けて一体に突成したものである。即ち、同図（Ｂ）に示すように見本片５を該収納凹部２に装着すれば、この突出部１０によって見本片５の離脱が阻止され、従来のように接着剤を使用しなくても見本片５を確実に保持することが可能となる。また、流行の変化等により見本片５の一部交換が必要となった場合にも、台枠全体が合成樹脂素材で構成されているため、その弾性により該収納凹部２を拡開して見本片５を取り出して新しいものと交換することができる。この場合、かかる着脱を繰返しても保持力が劣化することはない。
更に、台枠１のみで見本片５を該収納凹部に収納して保持できるようになるため、場合によっては、別途被覆体７で覆わなくても、それ自体で台版としても利用可能となるものである。
【００１３】
なお、上記実施形態においては、突出部１０は収納凹部２の各側壁辺に２個ずつ設けているが、これに限定するものではなく、収納凹部２の大きさや形状、収納する見本片５の材質等に応じて、その数および位置は任意に設定できるものである。即ち、収納凹部２の各側壁９上端部に見本片５を係止しうる突出部１０を収納凹部の内側方向に一体に設けることを要旨とするものである。
【００１４】
次に、図４（Ａ）は、上記台枠１における大型見本片用の収納凹部３の部分拡大図であるが、図において１１はその側壁９の一つに設けた傾斜面であって、収納凹部３の底面１２から開始し台枠表面１３まで連続するこの傾斜面に沿って、該収納凹部３に収納した見本片５を斜め方向に抜き差しできるようにしたものである（同図（Ｂ）参照）。従って、従来のように摘み片を別途取り付けなくても、見本片５を指先で軽く押さえ、該傾斜面の方向へ誘導すれば、見本片５の取り出しが極めて容易となり（図５（Ｂ）参照）、また、同様に見本片５の挿入も容易である。
【００１５】
なお、図４（Ｃ）に示すように、上記傾斜面１１を側壁の途中から表面１３に向けて構成し、該側壁に段部１１ａを構成すれば、見本片５が不用意に傾斜面１１から滑り出すことなく保持でき、取り出しも容易である。
また、前述した見本片保持用の突出部１０を、この大型見本片用の収納凹部３に対して適用することで、見本片５を着脱自在に保持するようにすることも勿論可能である。
【００１６】
次に図５（Ａ）は、上記傾斜面１１を有する収納凹部３を設けた台枠１に被覆体７を被せて台版とした状態の部分拡大図であるが、この台枠１に被せる被覆体７における該収納凹部３と対応する窓６は、その三辺の大きさを見本片５より若干小さくして見本片５の不用意な離脱を防止すると共に、上記傾斜面１１と対応する一辺は、少なくとも見本片５が通過できるだけの幅を有する開口１４として見本片５の挿入、取り出しを可能としている。
即ち、傾斜面１１を有する収納凹部３を設けた前記台枠１と、一辺を開口１４とした窓６を有する被覆体７とにより、見本片５の抜き差しを容易とした台版を構成するものである。
【００１７】
従って、かかる構成の台版によって利用者は見本片５を直接手に取って、その裏地の材質や厚み、毛足の長さ等を確認することが容易となると共に、他のページの見本片と並べて直接対比することも可能となり、利用価値の高い見本帳を提供できる。
【００１８】
【発明の効果】
以上述べたように、本発明にかかる見本帳の台枠および台版によれば、見本片を収納凹部に装着するだけで台版を構成できるため、見本帳の組み立て作業が極めて効率よく行うことができるものである。また、見本片の装着に接着剤を一切使用しないため、見本片の一部交換が可能となり、流行の変化等に迅速に対応できると共に、組み立て作業中に接着剤で見本片を汚損する虞が全くなく、美麗な見本帳を提供できるものである。
また、合成樹脂素材を一体に成型して台枠としているため、安価でかつ軽量であり、それ自体見栄えがよいため、別途被覆体で被覆しないで見本帳に仕上げることも充分可能である。
【００１９】
特に、収納凹部に突出部を一体に設けたものにあっては、従来のように該部に別途切込み加工を施す手間が省略できると共に、見本片の着脱の繰返しによる弾性力の劣化が生じないため、見本片を確実に保持できるものである。
【００２０】
また、側壁に傾斜面を設けたものにあっては、見本片を該傾斜面に沿って抜き差しして、見本片の裏面の材質や毛足の長さ等を確認でき、利用価値の高い見本帳を提供できる他、見本片の端部を接着したり、摘み片を取り付けるといった手間を省略できるため、迅速かつ経済的に見本帳を組み立てることが可能となるものである。
【図面の簡単な説明】
【図１】本発明にかかる台枠の斜視図である。
【図２】見本片を装着した台枠に被覆体を被せる場合の説明図である。
【図３】（Ａ）は突出部を有する収納凹部の部分拡大図、（Ｂ）は見本片を保持する状態を示す部分拡大断面図である。
【図４】（Ａ）は傾斜面を有する収納凹部の部分拡大図、（Ｂ）は傾斜面の断面図、（Ｃ）は傾斜面の他の例を示す断面図である。
【図５】（Ａ）は傾斜面を有する収納凹部の被覆体を被せた状態を示す部分拡大図、（Ｂ）は見本片の保持、取り出しの状態を説明する断面図である。
【図６】従来の見本帳の台枠の一例を示す斜視図である。
【図７】（Ａ）は従来の収納凹部の部分拡大図、（Ｂ）は見本片を保持する状態を示す部分拡大断面図である。
【図８】（Ａ）は従来の他の収納凹部の部分拡大図、（Ｂ）は見本片の保持、持ち上げを説明する断面図である。
【符号の説明】
１    台枠
２    収納凹部
３    収納凹部
６    窓
７    被覆体
９    側壁
１０    突出部
１１    傾斜面
１４    開口
【図１】
0003586018.tif 000002
【図２】
0003586018.tif 000003
【図３】
0003586018.tif 000004
【図４】
0003586018.tif 000005
【図５】
0003586018.tif 000006
【図６】
0003586018.tif 000007
【図７】
0003586018.tif 000008
【図８】
0003586018.tif 000009